(57)【要約】【課題】簡易な構成でありながら、確実な発言の切れ目を用いて区間分割し、所望の発言を検索し易くする音声録音装置を提供する。【解決手段】制御部１４は、操作部１８から入力される操作データを分析し、プレゼン資料のページ切り換えイベント情報、および資料切り換えイベント情報を抽出する。また、制御部１４は、入力される音声データを分析し、特定の話者の音声区間を抽出する。制御部１４は、プレゼン資料のページ情報、発表者識別情報、および記録時刻、を備えた音声状況データを生成する。制御部１４は、ページ切り換えイベント情報を抽出したときに、プレゼン資料のページ情報を切り換え、話者の変更、かつ資料切り換えイベント情報を抽出したときに、発表者識別情報を切り替えて音声状況データを生成する。【選択図】図１
2007329794.tif 000002
【特許請求の範囲】
【請求項１】
音声信号を外部から入力する音声入力部と、
複数の映像データを含むプレゼンテーションデータを記憶するとともに、前記音声信号が録音される記憶部と、
映像データを外部へ出力する映像出力部と、
利用者による映像切換操作を受け付ける操作部と、
前記映像切換操作に従って、前記複数の映像データを順次切換えて前記映像出力部に出力する映像再生部と、
前記音声入力部から入力された音声信号を録音データとして時系列に前記記憶部に録音する音声録音部と、
前記記憶部に録音された録音データを再生する音声再生部と、
を備え、
前記音声録音部は、前記音声信号の録音中における前記映像切換操作がされたタイミングをさらに記録し、
前記音声再生部は、前記映像切換操作がされたタイミングで分割される区間を単位として前記録音データを再生する
音声録音装置。
【請求項２】
前記記憶部は、１または複数の話者の声の特徴データをリファレンスとして記憶しており、
前記録音データの前記区間毎の音声信号から話者の声の特徴データを抽出する特徴抽出部と、
前記抽出した特徴データを前記リファレンスと比較することにより、前記各区間毎の話者を特定して、特定した話者の情報を前記録音データに付加する話者特定部と、
を備えた請求項１に記載の音声録音装置。
【発明の詳細な説明】
【技術分野】
【０００１】
この発明は、会議音声等の音声を記録して利用する装置に関するものである。
【背景技術】
【０００２】
従来から、会議やプレゼンテーションの記録を、録音した音声で残すことが行われている。この記録は、数十分〜数時間分の音声信号を録音した１つのファイルである。
【０００３】
ユーザは、このような記録を後から確認するとき、時間情報（録音開始からの経過時間）を参照して所望の発言を検索する。しかし、時間情報だけでは、録音されている内容（どの話者が発言しているか等）が判別できず、後から再生するときに所望の発言を探すことが困難であった。
【０００４】
そこで、音声の特徴から話者を特定して、話者毎に録音データを区間分割し、分割した区間ごとに再生できるようにしたものがある（例えば特許文献１参照）。
【０００５】
特許文献１に記載の装置は、話者を識別するための各種パラメータを音声データから抽出し、これらのパラメータに識別番号を付してグループ化する。グループ化したパラメータ（話者識別情報）は、音声データとともに記憶される。記憶された音声データは、話者毎に時系列にグラフィック表示され、視覚的に所望の発言を探すことができる。
【特許文献１】特開平８−１５３１１８号公報
【発明の開示】
【発明が解決しようとする課題】
【０００６】
しかし、音声の特徴により話者を特定することは容易ではなかった。話者の特定を誤ると、誤った話者識別情報が付されてデータベースが構築されてしまうという問題点が有った。また、話者を特定できなかった箇所は連続した区間となるため、やはり所望の発言を探すことが困難であった。
【０００７】
本発明は、簡易な構成でありながら、確実な発言の切れ目を用いて区間分割し、所望の発言を検索し易くする音声録音装置を提供することを目的とする。
【課題を解決するための手段】
【０００８】
この発明の音声録音装置は、音声信号を外部から入力する音声入力部と、複数の映像データを含むプレゼンテーションデータを記憶するとともに、前記音声信号が録音される記憶部と、映像データを外部へ出力する映像出力部と、利用者による映像切換操作を受け付ける操作部と、前記映像切換操作に従って、前記複数の映像データを順次切換えて前記映像出力部に出力する映像再生部と、前記音声入力部から入力された音声信号を録音データとして時系列に前記記憶部に録音する音声録音部と、前記記憶部に録音された録音データを再生する音声再生部と、を備え、前記音声録音部は、前記音声信号の録音中における前記映像切換操作がされたタイミングをさらに記録し、前記音声再生部は、前記映像切換操作がされたタイミングで分割される区間を単位として前記録音データを再生することを特徴とする。
【０００９】
この発明では、映像データを含むプレゼンテーションデータ（資料データ）を記録している。ユーザは、映像切換操作を行い、プレゼンテーションを行う。音声録音部は、このプレゼンテーション中の音声を録音する。音声録音部は、映像切換操作を検出し、このタイミングを記録する。ここで、映像切換操作タイミングの記録は、録音している音声データを分割することで記録してもよいし、切換えタイミングを示す情報を付加することで記録するようにしてもよい。音声データを再生するときには、記録されたタイミングで分割される各区間を１単位として再生する。
【００１０】
また、この発明は、さらに、前記記憶部は、１または複数の話者の声の特徴データをリファレンスとして記憶しており、前記録音データの前記区間毎の音声信号から話者の声の特徴データを抽出する特徴抽出部と、前記抽出した特徴データを前記リファレンスと比較することにより、前記各区間毎の話者を特定して、特定した話者の情報を前記録音データに付加する話者特定部と、を備えたことを特徴とする。
【００１１】
この発明では、特定の話者の音声特徴量（フォルマント等）をリファレンスとして記録しておく。また、特徴抽出部は、録音中の音声データから各話者の音声特徴量を抽出する。抽出した音声特徴量と、リファレンスの音声特徴量と、を比較し、各区間毎の話者を特定して話者情報を音声データに付与する。
【発明の効果】
【００１２】
この発明によれば、映像切換操作を検出し、このタイミングを記録して再生時に各タイミングで分割される区間毎に音声を再生することで、簡易な構成でありながら、確実な発言の切れ目を用いて区間分割し、所望の発言を効率よく検索することができる。
【発明を実施するための最良の形態】
【００１３】
図面を参照して、本発明の実施形態である音声記録再生装置について説明する。この音声記録再生装置は、典型的にはパーソナルコンピュータによって実現されるものであり、主にプレゼンテーション（以下、単にプレゼンと言う。）に用いられ、発表者等の発話音声を記録し、再生するものである。
図１は、本実施形態の音声記録再生装置を用いたプレゼンの概要を示す図である。パーソナルコンピュータである音声記録再生装置１にはプレゼンデータ（プレゼン資料）が記録されており、プレゼン発表者３は、音声記録再生装置１を操作し、プロジェクタ５に映し出される映像を切換える操作をしながらその内容を説明する。プレゼン発表者３が発した音声は、音声記録再生装置１により、音声データとして取得される。また、プレゼン発表者３が行った各種操作は、音声記録再生装置１により、操作データとして取得される。
【００１４】
音声データは、データベース（後述記憶部１５）に時系列で記録される。また、操作データは、音声記録再生装置１により分析され、映像切換操作（プレゼン資料の切換操作）が抽出される。この映像切換操作が抽出されたタイミングによって、音声データがセグメンテーション（区間抽出）される。
【００１５】
また、音声データは、音声記録再生装置１により分析され、そのプレゼン発表者３の音声特徴量が抽出される。この音声特徴量は、予めデータベースに記録されているリファレンスの音声特徴量と比較され、話者が特定される。特定された話者の情報は、音声データの各区間の属性を識別する付加情報として記録される。
【００１６】
また、各区間でプロジェクタ５に表示されていた映像は、切り出し（スナップショット）され、上記音声データと対応付けてプレビュー映像データとして、データベースに記録される。
【００１７】
図２は、音声記録再生装置の具体的な構成を示すブロック図である。音声記録再生装置１は、マイク１１、収音アンプ１２、Ａ／Ｄコンバータ１３、制御部１４、記憶部１５、ＲＡＭ１６、映像出力Ｉ／Ｆ１７、操作部１８、Ｄ／Ａコンバータ１９、放音アンプ２０、およびスピーカ２１を備えている。音声記録再生装置１は、映像出力Ｉ／Ｆ１７を介してプロジェクタ５に接続される。
【００１８】
マイク１１は、自装置の発話者の発話音を含む周囲の音を収音して電気信号に変換し、収音音声信号を生成する。収音アンプ１２は収音音声信号を増幅し、Ａ／Ｄコンバータ１３はアナログ形式の収音音声信号をディジタル形式に変換する。
【００１９】
制御部１４は、音声記録再生装置を統括的に制御する。制御部１４は、記憶部１５から動作用プログラムを読み出し、ＲＡＭ１６に展開することで、種々の処理を行う。また、制御部１４は、上記ディジタル形式の収音音声信号を、音声データとして記憶部１５に記録する。
【００２０】
記憶部１５は、大容量の磁気ディスク等からなり、機能的に音声データ記録部１５１、音声状況データ記録部１５２、プレゼンデータ記録部１５３、および音声特徴データ記録部１５４を備えている。また、再生アプリケーション１５５、および編集アプリケーション１５６を記憶している。音声データ記録部１５１には、上記収音された音声データが記録される。
【００２１】
制御部１４は、記憶部１５の再生アプリケーション１５５をＲＡＭ１６に展開して、音声データ記録部１５１に記録されている音声データを読み出し、再生処理を行う。また、記憶部１５の編集アプリケーション１５６をＲＡＭ１６に展開して、編集処理を行う。制御部１４は、再生処理においては、音声データ記録部１５１から読み出した音声データをＤ／Ａコンバータ１９に出力する。Ｄ／Ａコンバータ１９は、制御部１４から入力された音声データをアナログ形式の放音音声信号に変換し、放音アンプ２０は放音音声信号を増幅してスピーカ２１に与え、スピーカ２１は、増幅された放音音声信号を放音する。これにより、自装置の周囲（主にプレゼン発表者）の音声を記録し、この記録済みの音声を再生、放音する。
【００２２】
制御部１４は、編集処理においては、図５に示すような画像を表示する映像信号を映像出力Ｉ／Ｆに出力する。編集処理の詳細については後述する。
【００２３】
操作部１８は、キーボードやマウスからなり、ユーザ（発表者）の操作態様に応じた操作データを生成し、制御部１４に出力する。例えば、マウスで（プロジェクタ５で表示される）表示画面上のカーソルを移動させ、該当位置でマウスをクリックすることにより、クリック情報が制御部１４に与えられ、制御部１４はクリック位置とクリック状況から操作入力内容を判断して所定の処理を行う。
【００２４】
ユーザが、操作部１８を用いて記憶部１５のプレゼンデータ記録部１５３に記録されているプレゼンデータ（資料映像表示用のアプリケーションを含む）を読み出すように指示すると、制御部１４は、プレゼンデータ記録部１５３からプレゼンデータのうち、指定されたファイル（資料ファイル）を読み出し、映像信号を生成する。制御部１４は、この映像信号を映像出力Ｉ／Ｆ１７を介してプロジェクタ５に出力する。プロジェクタ５は、入力された映像信号に応じて（スクリーン等に）映像を表示する。なお、プロジェクタ５に代えて、汎用のディスプレイ等を用いてもよい。これにより、ユーザは資料ファイルを映像表示して、プレゼンを行うことができる。
【００２５】
制御部１４は、Ａ／Ｄコンバータ１９３から入力した音声データから音声特徴量を抽出する。音声特徴量は、典型的には話者のフォルマント、ピッチ等を表し、音声データをフーリエ変換した周波数スペクトル（パワースペクトル）、およびこのパワースペクトルを対数変換後に逆フーリエ変換したケプストラムから抽出する。
【００２６】
制御部１４は、プレゼンに先立ち、各話者の音声特徴量を抽出し、記憶部１５の音声特徴データ記録部１５４に記録しておく。各話者の識別情報（すなわち各音声特徴データがどの話者のものであるか）は、プレゼン参加者（進行役等）が予め登録する。例えば、ある話者Ａの音声特徴量を記憶部１５に登録するとき、プレゼン進行役は、話者Ａに発言してもらい、操作部１８を用いて話者Ａの情報（個人名等）を記憶部１５に記録する。なお、本実施形態の音声記録再生装置を社内で用いる場合、プレゼン参加者が変化しない場合、等であれば、各社員の音声特徴量を、予め記憶部１５に記録しておくようにしてもよい。
【００２７】
制御部１４は、プレゼン中において、入力される音声データから音声特徴量を抽出し、記憶部１５に記録されている各話者の音声特徴量と比較する。その結果、特定の話者（発表者）の発言を抽出し、記録音声データの各部分の属性を識別する音声状況データを生成する。ここで、属性には、音声データの記録時刻、プレゼン資料のページ情報、発表者識別情報等が含まれている。音声状況データは、記憶部１５の音声状況データ記録部１５２に記録される。
【００２８】
制御部１４は、操作部１８から入力される操作データを分析し、特定の操作（資料のページ切り換え操作）のイベント情報を検出する。制御部１４は、このページ切り換えのイベント情報、および上記音声特徴量に基づいてページ切り換え情報を生成し、音声状況データを生成する。さらに、制御部１４は、操作部１８から入力される操作データを分析し、資料ファイル切り換えのイベント情報も検出する。制御部１４は、この資料ファイル切り換えのイベント情報、および上記音声特徴量に基づいて発表者識別情報を生成し、音声状況データを生成する。この音声状況データと、音声データが時系列に記録されるので、映像切換操作が抽出されたタイミングによって、資料ページ切り換え毎、発表者毎に音声データがセグメンテーションされる。
【００２９】
次に、音声記録再生装置の録音フローについて図３を参照して説明する。
図３は、制御部１４の録音処理フローを示すフローチャートである。なお、この録音処理フローが行われる前に、各会議参加者の音声特徴量は、記憶部１５に登録しておくものである。
制御部１４は、音声信号の入力を監視している。制御部１４は、プレゼン開始トリガを検出すると録音を開始する（Ｓ１→Ｓ２）。この際、プレゼン開始トリガとしては、音声信号が入力されたことを検知することで得られたり、ユーザが操作部１８を用いてプレゼン開始の指示をしたことにより得ることができる。
【００３０】
録音が開始されると、制御部１４は（内蔵タイマ等から）録音開始時刻を取得し、この録音開始時刻を１つの音声データファイルのタイトルとして保存する（Ｓ３）。
【００３１】
制御部１４は、入力された音声信号、現在時刻を取得し（Ｓ４）、音声信号を音声データとして、現在時刻を時間データとして記憶部１５に与え、記憶部１５は順次音声データを記憶する（Ｓ５）。
【００３２】
制御部１４は、音声データの分析処理を行う（Ｓ６）。音声データの分析処理は、以下のようにして行う。すなわち、制御部１４は、入力音声データから音声特徴量を抽出し、記憶部１５から登録済みの話者の音声特徴量を読み出し、パターンマッチング等の手法により、抽出した音声特徴量が、読み出した音声特徴量と合致するか否かを判断する。音声特徴量が合致する場合に、この入力音声データを登録済みの話者（例えば発話者Ａとする）の発話区間として判断し、話者を特定する。合致しない場合は、登録されていない他者の発話、または無音（雑音）区間として判断する。これにより、前回の音声データ取得タイミングから話者が変化したかを判断する。
【００３３】
次に、制御部１４は、操作データの分析を行う（Ｓ７）。制御部１４は、入力されている操作データから特定の操作を検出し、イベント情報を抽出する処理を行う。すなわち、現在映像出力Ｉ／Ｆに出力している資料ファイルについて次のページに進める操作（ページ切り換え操作のイベント情報）、資料ファイルの切り換え操作（資料ファイル切り換え操作のイベント情報）を検出する。
【００３４】
制御部１４は、上記音声データの分析結果、および操作データの分析結果から、セグメンテーションのタイミングであるか、話者変更のタイミングであるか、いずれにも該当しないか、を判断する（Ｓ８）。制御部１４は、上記ページ切り換えのイベント情報、および資料ファイル切り換えのイベント情報を検出していなければ、いずれにも該当しないとして、録音終了されるまで音声データの取得から処理を繰り返す（Ｓ８→Ｓ１４→Ｓ４）。なお、音声特徴量から話者の変更を検出した場合であっても、上記イベント情報を抽出していなければ音声データ取得から処理を繰り返す。
【００３５】
制御部１４は、ページ切り換えのイベント情報を検出しているが、資料ファイルの切り換えイベント情報を検出していなければ、セグメンテーションのタイミングと判断し、Ｓ９のチャプタ終了処理を行う。また、ページ切り換えのイベント情報、および資料ファイル切り換えのイベント情報を検出していた場合であっても、話者の変化を検出していなければ、話者の変更が無いとして、セグメンテーションのタイミングして判断し、Ｓ９のチャプタ終了処理を行う。なお、資料ファイルの切り換えイベント情報を検出した場合は、自動的にページの切り換えもされているため、ページ切り換えのイベント情報を検出していないが、資料ファイルの切り換えイベント情報を検出している場合は無いものとする。
【００３６】
制御部１４は、ページ切り換えのイベント情報、および資料ファイル切り換えのイベント情報を検出し、さらに話者の変化を検出していれば、話者変更が有ったとしてＳ１０の発表終了処理を行う。
【００３７】
制御部１４は、Ｓ９のチャプタ終了処理において、そのチャプタのプレゼン資料のページ情報を生成し、Ｓ１０の発表終了処理において、発表者識別情報を生成する。その後、Ｓ１１の処理において、音声状況データを生成する。制御部１４は、同じチャプタ、発表者からなる音声データ群を関連付けするため、該当する音声データ群のプレゼン資料のページ情報、発表者識別情報、および記録時刻、を備えた音声状況データを生成して記憶部１５に与える。記憶部１５は、制御部１４からの音声状況データを音声状況データ記録部１５２に記録する。
【００３８】
制御部１４は、Ｓ１２の処理において、プレゼンデータの切り出しを行う。制御部１４は、この処理において、現在画面表示している資料ページの映像を切り出（スナップショットを取得）し、上記音声状況データと対応付けてプレビュー映像データとして、プレゼンデータ記録部１５３に追加記録する。
【００３９】
このような音声状況データの生成、記録処理、音声データの記録処理、およびプレゼンデータ切り出し処理は、録音終了トリガが検出されるまで繰り返し行われ、チャプタ切り換え、発表者の変化が有る度に音声状況データが生成、記録される。そして、録音終了トリガが検出されれば（Ｓ１４）、最終の音声状況データを生成、記録するとともに、音声状況データ記録部１５２に予め記録された各音声状況データを録音開始時に取得したタイトルでグループ化するグループ化指示データを生成して音声状況データ記録部１５２に記録する（Ｓ１５）。なお、録音終了トリガは、操作部１８によるユーザのプレゼン終了指示を検出することにより得られる。
【００４０】
このような構成および処理を行うことで、音声データ記録部１５１には、図４に示すように、経時的に連続する音声データが記録され、音声データファイルとして記録される。この際、音声データファイルは、音声状況データ記録部１５２に記録された音声状況データにより、発表者別、チャプタ別（ページ別）に区分されている。
【００４１】
例えば、発表者Ａの音声データファイルであれば、資料１の音声データ、資料２の音声データ、資料３の音声データ、資料４の音声データ、資料５の音声データ、資料６の音声データ、および無音、雑音区間の音声データで区分化される。そして、各区分化音声データには区分の開始時刻（開始時間データ）が関連付けされている。同様に、発表者Ｂの音声データファイルであれば、資料７の音声データ、資料８の音声データ、資料９の音声データ、資料１０の音声データ、および無音、雑音区間の音声データで区分化され、区分毎の開始時間データが関連付けされている。
【００４２】
次に、音声データファイル作成時の構成および処理について説明する。
図５は編集アプリ実行時に表示される表示画像を示す図であり、（Ａ）が初期状態、（Ｂ）が編集後状態を示す。
【００４３】
ユーザが会議後に操作部１８を操作して編集アプリを実行すると、制御部１４は、記憶部１５の音声状況データ記録部１５２から音声状況データを取得し、図５（Ａ）に示すような画面を表示する。
【００４４】
図５（Ａ）に示すように編集画面は、表題表示部２０１、タイムチャート表示部２０２、を備える。タイムチャート表示部２０２は、各音声データを示すバーグラフ２０３、資料ページ表示部２０４、発表者表示部２０５、内容表示部２０６を備える。
【００４５】
（１）表題表示部２０１
初期状態で、図５（Ａ）に示すように表題表示部２０１には音声状況データのファイル名に相当する、音声データファイル記録年月日が表示される。ユーザがマウスを用いて表題表示部２０１を選択すると、表題表示部２０１は編集可能となる。そして、ユーザが、プレゼン議題名である「商品販売検討会」をキーボード等で入力すると、図５（Ｂ）に示すように表題表示部２０１には、「商品販売検討会」が表示される。制御部１４は、編集アプリが終了する際、この変更を有効にするかを確認し、有効にする選択がされれば、音声状況データに表題名が「商品販売検討会」であることを関連付けする。この場合、音声状況データファイル名を直接「商品販売検討会」に変更して、記憶部１５に記憶させてもよい。これにより、表題が単なる年月日表示から具体的な議題名の表示になるので、後からでも容易に音声データファイルの内容を認識することができる。
【００４６】
（２）タイムチャート表示部２０２
タイムチャート表示部２０２は、音声状況データファイル名から得られる区分化の情報に従い、各区分化音声データを資料ページ別で時系列に並べてバーグラフ２０３として表示する。この際、バーグラフ２０３の長さは区分化音声データの時間長を表す。この際、資料ページを表す情報として、資料ページ表示部２０４が表示される。
【００４７】
（３）資料ページ表示部２０４
各資料ページ表示部２０４には、図５（Ａ）に示すように、プレゼンデータ記録部１５３から得られた各資料ページ名が初期状態で表示される。ユーザがマウスを用いて資料ページ表示部２０４を選択すると、資料ページ表示部２０４は編集可能となる。そして、ユーザが、資料ページ毎に対応する題名をキーボード等で入力すると、資料ページ表示部２０４には、図５（Ｂ）に示すように資料ページ名（概要、コンセプト、等）が表示される。制御部１４は、編集アプリが終了する際、この変更を有効にするかを確認し、有効にする選択がされれば、各資料ページに対応する資料ページ名を関連付け、記憶部１５に記憶する。
【００４８】
この際、各区分化音声状況データをマウスでダブルクリックする等の操作を行えば、制御部１４はこれを認識して、該当する区分化音声データを記憶部１５から読み出して再生する。再生音はスピーカ２１から放音される。ユーザはこの音声を聞くことにより、各区分化音声データに対応する話者の発言内容を確認することができる。
【００４９】
（４）発表者表示部２０５
発表者表示部２０５には、図５（Ａ）に示すように、音声状況データから得られた話者名（発話者Ａ、発話者Ｂ）が初期状態で表示される。ユーザがマウスを用いて発表者表示部２０５を選択すると、発表者表示部２０５は編集可能となる。そして、ユーザが、各発話者の個人名をキーボード等で入力すると、発表者表示部２０５には、図５（Ｂ）に示すように個人名（「担当Ａ氏」、「担当Ｂ氏」）が表示される。
【００５０】
（５）内容表示部２０６
内容表示部２０６には、図５（Ａ）に示すように初期状態では枠しか表示されない。ユーザがマウスを用いて内容表示部２０６を選択すると、内容表示部２０６は編集可能となる。そして、ユーザがプレゼン内容をキーボード等で入力すると、内容表示部２０６には、図５（Ｂ）に示すようにプレゼン内容（「商品Ａの説明」、「マーケティング」）が表示される。この際、各内容表示部２０６は、それぞれ異なる色やパターンで表示される。そして、いずれかの内容表示部２０６を選択した状態で、各区分化音声データのバーグラフ２０３を選択すると、これらが関連付けされて、内容表示部２０６と同じ色、パターンで表示される。
【００５１】
（５）資料ページプレビュー表示部２０７
ユーザが各区分化音声状況データをマウスでクリックする操作を行えば、制御部１４はこれを認識して、該当する区分化音声データに対応付けられているプレビュー映像データを読み出して、資料ページプレビュー表示部２０７に画面表示する。
【００５２】
これにより、ユーザは、各区分化音声状況データをいちいち聴きなおすことなく、発表内容を容易に把握することができる。
【００５３】
以上のような構成および処理を用いることで、より分かりやすいプレゼン音声データファイルを簡単に形成することができる。また、プレゼンの必要部のみを容易に聞き直すことができる。
【００５４】
なお、本実施形態においては、制御部１４が音声特徴量の抽出、操作イベント情報の抽出を行っているが、音声特徴量の抽出専用の構成部（ＤＳＰ）を備えていてもよい。
【図面の簡単な説明】
【００５５】
【図１】本実施形態の音声記録再生装置を用いたプレゼンの概要を示す図
【図２】音声記録再生装置の構成図
【図３】録音処理フローを示すフローチャート
【図４】記憶部１５に記録された音声データの概念図
【図５】編集アプリケーション実行時に表示される表示画像を示す図
【符号の説明】
【００５６】
１−音声記録再生装置
３−プレゼン発表者
５−プロジェクタ
【図１】
2007329794.tif 000003
【図２】
2007329794.tif 000004
【図３】
2007329794.tif 000005
【図４】
2007329794.tif 000006
【図５】
2007329794.tif 000007